(57)【要約】【課題】ヒンジが破壊されても扉を開くことができないようにし、開扉に対する完全な盗難防止機能を備えた自動販売機を提供する。【解決手段】自動販売機本体２の前面に設けた扉３が、自動販売機本体２との間に設けたヒンジ４を支点に片側へ開くことができるようにした自動販売機１において、この自動販売機１の扉３におけるヒンジ４側の位置に、一端を自動販売機本体２に固定し、他端を扉３に固定した金属製の可撓条を用いた盗難防止金具５を取付け、自動販売機本体２に扉３を接続することにより、ヒンジ４が破壊されてもヒンジ４側から扉３を開くことができないようにする。【選択図】図１
0003124451.tif 000002
【実用新案登録請求の範囲】
【請求項１】
自動販売機本体の前面に設けた扉が、自動販売機本体との間に設けたヒンジを支点に片側へ開くことができるようにした自動販売機であって、この自動販売機の扉におけるヒンジ側の位置に、一端を自動販売機本体に固定し、他端を扉に固定した金属製の可撓条を用いた盗難防止金具を取付けた自動販売機。
【請求項２】
自動販売機本体の前面に設けた扉が、自動販売機本体との間に設けたヒンジを支点に片側へ開くことができ、かつ、開閉側を施錠機構で自動販売機本体に固定するようにした自動販売機であって、この自動販売機の扉におけるヒンジ側と施錠機構側の両位置に、一端を自動販売機本体に固定し、他端を扉に固定した金属製の可撓条を用いた盗難防止金具を取付けた自動販売機。
【請求項３】
上記盗難防止金具の可撓条は、複数のリングを順次接続した金属製の鎖によって形成され、この可撓条の一方端部に位置するリングを、自動販売機本体の外面に固定した取付け金具と接続することによって自動販売機本体に取付け、他方端部に位置するリングを扉の外面に固定した取付け金具に接続することによって扉に取付けた請求項１又は２に記載の自動販売機。
【考案の詳細な説明】
【技術分野】
【０００１】
この考案は、各種商品を販売する自動販売機、更に詳しくは、扉のヒンジを破壊して扉をひらくことにより、内部の金銭や商品を盗む窃盗行為を確実に防止することができるようにした自動販売機に関する。
【背景技術】
【０００２】
自動販売機は、その内部に釣銭や売上金である金銭と商品が収納されているため、屋外等に設置されていると、金銭や商品を盗む窃盗行為の対象となり、現実に自動販売機から金銭や商品を盗む犯罪が多発している。
【０００３】
自動販売機から金銭や商品を盗む場合、最も多い犯罪例からして、一般的には、扉の施錠機構を破壊して開錠することで扉を開くことによって行われる。
【０００４】
従来、このような犯罪を防ぐため、自動販売機の扉における施錠機構側の位置に、一端を自動販売機本体に固定し、他端を扉に固定した金属製鎖を用いた盗難防止金具を取付け、施錠機構が破壊されても鎖によって扉を僅かしか開くことができないようにし、これによって、内部の金銭や商品が盗まれるのを防いでいる。
【考案の開示】
【考案が解決しようとする課題】
【０００５】
ところで、自動販売機の扉における施錠機構側の位置に盗難防止金具を取付けると、施錠機構を破壊しても扉を開くことができないため、盗難防止の機能は果たしているが、最近は、自動販売機本体に扉を取付けるヒンジを破壊し、このヒンジの破壊により扉のヒンジ側を自動販売機本体から離し、施錠機構を支点に扉を開くことにより、内部の金銭や商品を盗む犯罪が発生している。
【０００６】
このように、従来の自動販売機は、ヒンジの破壊による開扉に対しては全くの無防備の状態になっており、開扉に対する完全な盗難防止がなされていないのが現状である。
【０００７】
そこで、この考案の課題は、上記のような問題点を解決するため、ヒンジが破壊されても扉を開くことができないようにし、開扉に対する完全な盗難防止機能を備えた自動販売機を提供することにある。
【課題を解決するための手段】
【０００８】
上記のような課題を解決するため、この考案は、自動販売機本体の前面に設けた扉が、自動販売機本体との間に設けたヒンジを支点に片側へ開くことができるようにした自動販売機であって、この自動販売機の扉におけるヒンジ側の位置に、一端を自動販売機本体に固定し、他端を扉に固定した金属製の可撓条を用いた盗難防止金具を取付けた構成を採用したものである。
【０００９】
また、自動販売機本体の前面に設けた扉が、自動販売機本体との間に設けたヒンジを支点に片側へ開くことができ、かつ、開閉側を施錠機構で自動販売機本体に固定するようにした自動販売機であって、この自動販売機の扉におけるヒンジ側と施錠機構側の両位置に、一端を自動販売機本体に固定し、他端を扉に固定した金属製の可撓条を用いた盗難防止金具を取付けた構成を採用したものである。
【００１０】
上記盗難防止金具の可撓条は、複数のリングを順次接続した金属製の鎖によって形成され、この可撓条の一方端部に位置するリングを、自動販売機本体の外面に固定した取付け金具と接続することによって自動販売機本体に取付け、他方端部に位置するリングを扉の外面に固定した取付け金具に接続することによって扉に取付けた構造とすることができる。
【００１１】
ここで、上記盗難防止金具の鎖は超硬質合金を用い、一般的な切断工具による切断を困難にすることにより、盗難防止機能を向上させていると共に、取付け金具は、自動販売機本体の外面と扉の外面に、外部から取外しができないねじ機構で固定されている。
【００１２】
上記取付け金具は、リングを嵌めることのできるＵ字状に形成され、その両端を自動販売機本体の内側や扉の内側から螺締めしたナットで固定するものや、ブロック金具の周囲で開口する差込み口にリングを挿入し、このリングを貫通する有頭軸に自動販売機本体の内側や扉の内側からねじ込むボルトで固定するものを使用することができる。
【考案の効果】
【００１３】
この考案によると、自動販売機の扉におけるヒンジ側の位置に、一端を自動販売機本体に固定し、他端を扉に固定した金属製の可撓条を用いた盗難防止金具を取付けたので、自動販売機の扉におけるヒンジを破壊して、開閉側の施錠機構を支点に扉を開こうとしても、扉のヒンジ側は、盗難防止金具で自動販売機本体に接続されているので、扉をヒンジ側から開くことができず、これによって、扉のヒンジを破壊して内部の金銭や商品を盗む犯罪を防止することができ、開扉に対する完全な盗難防止機能を備えた自動販売機となる。
【考案を実施するための最良の形態】
【００１４】
以下、この考案の実施の形態を添付図面に基づいて説明する。
【００１５】
図１のように、自動販売機１は、自動販売機本体２の前面に設けた開閉用の扉３が、自動販売機本体２との間に設けた上下のヒンジ４を支点に片側へ開くことができるようになっており、この自動販売機１の扉３におけるヒンジ４側の位置に、一端を自動販売機本体２に固定し、他端を扉３に固定した盗難防止金具５を取付け、ヒンジ４を破壊しても扉３をヒンジ４側から開くことができないようにしている。
【００１６】
上記扉３は、ヒンジ４と反対側の開閉側が、図示省略したが施錠機構で自動販売機本体２に対して固定化でき、図示の場合、扉３の開閉側にも、一端を自動販売機本体２に固定し、他端を扉３に固定した盗難防止金具５ａを取付け、施錠機構を破壊してもヒンジ４を支点に扉３を開くことができないようにしている。
【００１７】
上記盗難防止金具５は、複数のリング６ａを順次接続した金属製の鎖６によって形成された可撓条と、その両端を接続する取付け金具７の組み合わせからなり、鎖６の外面を樹脂チューブ８で覆うようにすると共に、この鎖４の一方端部に位置するリング６ａを、自動販売機本体２の外面に固定した取付け金具７と接続することによって自動販売機本体２に取付け、他方端部に位置するリング６ａを扉３の外面に固定した取付け金具７に接続することによって扉３に取付けるようになっている。
【００１８】
上記盗難防止金具５の鎖６は超硬質合金を用い、一般的な切断工具による切断を困難にすることにより、盗難防止機能を向上させていると共に、取付け金具７は、自動販売機本体２の外面と扉３の外面に、外部から取外しができないねじ機構で固定されている。
【００１９】
図２に示す第１の実施の形態の取付け金具７は、リング６ａを嵌めることのできるＵ字状金具７ａの両端を自動販売機本体２の側壁と扉３に設けた透孔９に内外の座金１０、１１を介して挿入し、自動販売機本体２と扉３の内側から両端の雄ねじ１２にナット１３を螺締めすることにより、自動販売機本体２と扉３にそれぞれ固定化する構造になっている。
【００２０】
図３に示す第２の実施の形態の取付け金具７は、頭部を球形としたブロック金具７ｂの周囲で開口する差込み口１４にリング６ａを挿入し、このリングを貫通するようブロック金具７ｂに頭部側から有頭軸１５を差し込み、自動販売機本体２又は扉３に設けた孔１６に内側から挿入したボルト１７を有頭軸１５にねじ込むことで、自動販売機本体２又は扉３に固定する構造になっている。
【００２１】
なお、扉３の施錠機構を設けた開閉側に用いる盗難防止金具５ａは、扉の外面に固定する取付け金具７ｃに施錠機構を設け、鎖６を施錠機構で着脱可能に結合することにより、通常時の扉３の開閉を可能にすることができるようになっている。
【００２２】
この考案の自動販売機は、上記のような構成であり、扉３を自動販売機本体２との間に設けたヒンジ４を支点に片側へ開くことができるようになっており、図１のように、この自動販売機１の扉３におけるヒンジ４側の位置に、一端を自動販売機本体２に固定し、他端を扉３に固定した盗難防止金具５を取付け、扉３の開閉側にも自動販売機本体２との間に盗難防止金具５ａを取付けておく。
【００２３】
このような状態の自動販売機１において、ヒンジ４を破壊して開閉側の施錠機構を支点に扉３を開こうとしても、扉３のヒンジ４側は、盗難防止金具５で自動販売機本体２に接続されているので、扉３をヒンジ４側から開くことができず、これによって、内部の金銭や商品を盗む犯罪を防止することができ、自動販売機は、開扉に対する完全な盗難防止機能を備えたものとなり、屋外への設置が安心して行える。
【図面の簡単な説明】
【００２４】
【図１】この考案の自動販売機を示す斜視図
【図２】（ａ）は第１の実施の形態の取付け金具を示す使用状態の斜視図、（ｂ）は同上の拡大した縦断面図
【図３】（ａ）は第２の実施の形態の取付け金具を示す使用状態の斜視図、（ｂ）は同上の拡大した縦断面図
【符号の説明】
【００２５】
１        自動販売機
２        自動販売機本体
３        扉
４        ヒンジ
５        盗難防止金具
６        鎖
７        取付け金具
８        樹脂チューブ
９        透孔
１０      座金
１１      座金
１２      雄ねじ
１３      ナット
１４      差込み口
１５      有頭軸
１６      孔
１７      ボルト
【図１】
0003124451.tif 000003
【図２】
0003124451.tif 000004
【図３】
0003124451.tif 000005